(57)【特許請求の範囲】
【請求項１】
天板の左右側部を支持する左右一対の脚体は、床面に設置される固定脚柱と、該固定脚柱に支持されて昇降可能となっている可動脚柱と、により上下方向に伸縮自在に構成され、該両脚体を伸縮させることにより前記天板を昇降させて高さ位置を変更でき、かつ可撓性を有する前後一対の同期用線部材の一端が一方の固定脚柱に固定されるとともに、該同期用線部材の他端が他方の固定脚柱に固定されており、該同期用線部材が、前記可動脚柱の下方位置に配置されて水平軸周りに回動する第１滑車部材と、前記可動脚柱の上方位置に配置されて水平軸周りに回動する前後一対の第２滑車部材と、に掛け渡されており、該同期用線部材により前記両脚体の伸縮動作を同期させる天板付き家具において、
前記第２滑車部材から前後方向に離間した位置に配置される前後一対の第３滑車部材が設けられ、該各第３滑車部材に、前記各同期用線部材が前後に分かれて掛け渡されることを特徴とする天板付き家具。
【請求項２】
前記可動脚柱の上部位置には、前後方向に延びて前記天板を支持する天板支持部が設けられ、該天板支持部の前後方向の略中央部に、前記一対の第２滑車部材が収納される中央収納部が上方に開口されて設けられ、該中央収納部から前後方向にそれぞれ離間した位置に、前記第３滑車部材が収納される離間収納部が上方に開口されて設けられており、前記第３滑車部材は、前記離間収納部に設けられる略垂直方向を向く軸周りに回動されることを特徴とする請求項１に記載の天板付き家具。
【請求項３】
前記左右一対の可動脚柱は、前後一対の連結杆により連結されており、該連結杆同士の対向面に近接して前記同期用線部材が配置されることを特徴とする請求項１または２に記載の天板付き家具。
【請求項４】
前記脚体は、上下方向に伸縮されることで前記可動脚柱の昇降の補助及び高さ位置の固定を行うガススプリングを有し、該ガススプリングの作動部を作動させる作動部材及び該作動部材を操作する操作用線部材が、前記前後一対の第２滑車部材の間に配置されることを特徴とする請求項１ないし３のいずれかに記載の天板付き家具。
【発明の詳細な説明】
【技術分野】
【０００１】
本発明は、天板を昇降させて高さ位置を変更できる天板付き家具に関する。
【背景技術】
【０００２】
従来のオーバーベッドテーブル（天板付き家具）は、左右一対の支持体（固定脚柱）と、この支持体に沿って上下摺動可能な可動体（可動脚柱）と、により伸縮脚（脚体）を構成し、一方の伸縮脚にガススプリングを設けることで、天板の昇降の補助及び高さ位置の固定を行うようにし、かつ上側滑車（第２滑車部材）と下側滑車（第１滑車部材）とこれら滑車に掛け渡される線条体（同期用線部材）とにより同期手段を構成し、左右の可動体の昇降誤差を生じ難くして、天板の左右両側をバランスよく同期的に昇降させるようにしている（例えば、特許文献１参照）。
【先行技術文献】
【特許文献】
【０００３】
【特許文献１】特許第２７６１７０６号公報（第３頁、第１図）
【発明の概要】
【発明が解決しようとする課題】
【０００４】
特許文献１に記載のオーバーベッドテーブル（天板付き家具）において、天板の中央に配線ダクト等のオプション部材を取り付けたいという需要者の要望がある。しかしながら、同期手段の線条体（同期用線部材）が天板の前後中央を左右方向に掛け渡されるため、この線条体の配置状態が、オプション部材の取り付けの邪魔になってしまい、天板にオプション部材を取り付けられなくなるという問題があるばかりか、オプション部材の追加により天板の重量が増加してしまい、天板を昇降させる際に、線条体に加わる荷重が、上側滑車（第２滑車部材）と下側滑車（第１滑車部材）の２箇所に集中されるため、これら滑車と線条体が消耗し易くなってしまうという問題がある。
【０００５】
本発明は、このような問題点に着目してなされたもので、天板の左右両側を同期的に昇降させる天板付き家具において、天板にオプション部材等を取り付けるスペースを確保でき、かつ滑車部材及び同期用線部材の耐久性を向上させることができる天板付き家具を提供することを目的とする。
【課題を解決するための手段】
【０００６】
前記課題を解決するために、本発明の天板付き家具は、
天板の左右側部を支持する左右一対の脚体は、床面に設置される固定脚柱と、該固定脚柱に支持されて昇降可能となっている可動脚柱と、により上下方向に伸縮自在に構成され、該両脚体を伸縮させることにより前記天板を昇降させて高さ位置を変更でき、かつ可撓性を有する前後一対の同期用線部材の一端が一方の固定脚柱に固定されるとともに、該同期用線部材の他端が他方の固定脚柱に固定されており、該同期用線部材が、前記可動脚柱の下方位置に配置されて水平軸周りに回動する第１滑車部材と、前記可動脚柱の上方位置に配置されて水平軸周りに回動する前後一対の第２滑車部材と、に掛け渡されており、該同期用線部材により前記両脚体の伸縮動作を同期させる天板付き家具において、
前記第２滑車部材から前後方向に離間した位置に配置される前後一対の第３滑車部材が設けられ、該各第３滑車部材に、前記各同期用線部材が前後に分かれて掛け渡されることを特徴としている。
この特徴によれば、前後一対の第３滑車部材に掛け渡された各同期用線部材が、前後に離間されて配置され、天板の中央にオプション部材等を取り付けるスペースを確保することができ、かつ天板を昇降させる際に、同期用線部材に加わる荷重が、第１滑車部材、第２滑車部材、及び第３滑車部材の３箇所に分散されて加わり、各滑車部材に加わる荷重を低減させるとともに、同期用線部材も消耗し難くなり、各滑車部材及び同期用線部材の耐久性を向上させることができる。
【０００７】
本発明の天板付き家具は、
前記可動脚柱の上部位置には、前後方向に延びて前記天板を支持する天板支持部が設けられ、該天板支持部の前後方向の略中央部に、前記一対の第２滑車部材が収納される中央収納部が上方に開口されて設けられ、該中央収納部から前後方向にそれぞれ離間した位置に、前記第３滑車部材が収納される離間収納部が上方に開口されて設けられており、前記第３滑車部材は、前記離間収納部に設けられる略垂直方向を向く軸周りに回動されることを特徴としている。
この特徴によれば、第２及び第３滑車部材を天板支持部の各収納部に上方から収納して取り付け易くなるばかりか、第２及び第３滑車部材を天板支持部内に収納した状態で、天板の下面を天板支持部の上面に取り付けることができ、天板付き家具の組立作業を効率よく行うことができ、かつ天板を昇降させる際に、第２滑車部材の動作と第３滑車部材の動作とが互いに影響を与えずに済むばかりか、略垂直方向を向く軸周りに第３滑車部材が回動されることにより、第２滑車部材から第３滑車部材に向かって前後方向の延びる同期用線部材の動作を、他方の脚体に向かって左右方向に速やかに切り換えることができ、各滑車部材の動作がスムーズに行われるようになる。
【０００８】
本発明の天板付き家具は、
前記左右一対の可動脚柱は、前後一対の連結杆により連結されており、該連結杆同士の対向面に近接して前記同期用線部材が配置されることを特徴としている。
この特徴によれば、天板付き家具を前方側または後方側から見たときに、同期用線部材が連結杆に隠蔽されるとともに、天板の下方においてオプション部材まで延設される配線等の部材が同期用線部材と干渉しなくなり、かつ天板の下方において配線作業等を行うときも、同期用線部材が作業者に触れないように連結杆によって保護される。
【０００９】
本発明の天板付き家具は、
前記脚体は、上下方向に伸縮されることで前記可動脚柱の昇降の補助及び高さ位置の固定を行うガススプリングを有し、該ガススプリングの作動部を作動させる作動部材及び該作動部材を操作する操作用線部材が、前記前後一対の第２滑車部材の間に配置されることを特徴としている。
この特徴によれば、作動部材及操作用線部材の動作が、前後の第２滑車部材及びこの第２滑車部材から前後に離間された同期用線部材の動作に影響を与えずに済むようになるばかりか、各部材を可動脚柱の上方位置にコンパクトに配置することができる。
【図面の簡単な説明】
【００１０】
【図１】実施例におけるテーブルを示す斜視図である。
【図２】テーブルを示す正面図である。
【図３】天板を省略した状態のテーブルを示す平面図である。
【図４】アームを示す平面図である。
【図５】アームを示す斜視図である。
【図６】プーリ及び押圧部材を枢支部材に取り付けた状態を示す斜視図である。
【図７】図３における右側のアーム及び脚体の内部構造を示すＡ−Ａ断面図である。
【図８】図７における脚体及びアームの内部構造を示すＢ−Ｂ断面図である。
【図９】アームの内部構造を示す図７の部分拡大図である。
【図１０】（ａ）は図９における部分拡大図であり、（ｂ）は押圧部材がガススプリングを押圧する状態を示す縦断面図である。
【図１１】（ａ）は操作部を示す平面図であり、（ｂ）は操作レバーが前方側に引かれた状態を示す平面図である。
【図１２】脚体の昇降動作を示す概念図である。
【図１３】アームと枢支部材の変形例を示す縦断正面図である。
【発明を実施するための形態】
【００１１】
本発明に係る天板付き家具を実施するための形態を実施例に基づいて以下に説明する。
【実施例】
【００１２】
実施例に係る天板付き家具につき、図１から図１３を参照して説明する。以下、図３の紙面下側をテーブルの正面側（前方側）とし、図７及び図９の紙面左側をテーブルの正面側（前方側）とし、図１１の紙面右側をテーブルの正面側（前方側）として説明する。
【００１３】
図１の符号１は、本発明の適用された天板付き家具としてのテーブルである。このテーブル１は、左右に長い１枚の天板２と、この天板２の左右側部を支持する左右一対の脚体３と、を有し、天板２を昇降させて、その高さ位置が変更できるようになっている。
【００１４】
図２に示すように、脚体３には、前後に延設されて床面に設置されるベース脚４と、ベース脚４の中央から立設された支持杆５と、支持杆５に内嵌された昇降杆６と、が設けられている。支持杆５の上部は開口しており、昇降杆６は、支持杆５に対して昇降自在に内嵌している。
【００１５】
また、脚体３の上部には、前後に延設される本発明における天板支持部としてのアーム７が設けられており、このアーム７は昇降杆６の上部に取り付けられている。尚、ベース脚４と支持杆５とにより本発明の固定脚柱が構成されており、昇降杆６とアーム７とにより本発明の可動脚柱が構成されている。
【００１６】
図３及び図７に示すように、左右の各アーム７には、後述する同期用ワイヤ部材１４（同期用線部材）が係合される２つの上部滑車部材４２（第２滑車部材）が前後に配置されている。尚、これらの上部滑車部材４２，４２は、アーム７とは別体に設けられた枢支部材２０に枢支されている。
【００１７】
また、図４に示すように、アーム７は天板２の中央に向かって突出された前後一対の連結部７ａを有し、この連結部７ａに連結杆８が接続されている。これら前後に並設された２本の連結杆８により左右のアーム７は互いに連結されている。尚、この連結杆８は角柱をなし、左右の脚体３の間で略直線状に延設されている。更に、アーム７及び連結杆８の上部には、天板２が取り付けられており、後述するように、昇降杆６の昇降とともに天板２が昇降されるようになっている。
【００１８】
図２及び図３に示すように、天板２の下面における中央部には、操作者が天板２を昇降させる際に、操作される操作部９が取り付けられている。この操作部９は、天板２の前端部近傍に配置されている。後述するように、操作者は、操作部９に設けられた操作レバー１０を天板２から離れる方向に水平に移動させた状態を維持しつつ、天板２を持ち上げたり下げたりすることで、天板２の高さ位置を自在に変更できるようになっている。
【００１９】
また、天板２の中央部には、オプション部材としての配線ダクト７０が設けられている。この配線ダクト７０には、電源タップ（図示略）やＬＡＮ用のＨＵＢ（図示略）を設置させることができ、天板２上でパソコン（図示略）を使用する際などに、この配線ダクト７０を開放して電源タップ（図示略）やＬＡＮ用のＨＵＢ（図示略）に接続して使用することができる。
【００２０】
次に、左右のアーム７について、図４及び図５を参照して説明する。左右のアーム７は略同一構成となっているため、図３中の右側のアーム７を例として図４及び図５を参照して説明する。
【００２１】
図４に示すように、アーム７は、左右の側壁部７１が湾曲して中央部の左右幅が大きく形成されている。アーム７の中央部には、上方向に開口する中央収納部７２（嵌合凹部）が形成されており、この中央収納部７２に枢支部材２０が嵌合するようになっている（図７参照）。また、中央収納部７２には、左右の側壁部７１同士を連結する複数のリブ７３が設けられており、このリブ７３により中央収納部７２の変形や歪み等を防止している。
【００２２】
更に、リブ７３には、脚体３内部に設けられたガススプリング１２のピストンロッド１６が下方から挿通されるロッド挿通孔７３ａと、後述する同期用ワイヤ部材１４が挿通されるワイヤ挿通孔７３ｂと、枢支部材２０を取り付けるための取付孔７３ｃと、が形成されている。
【００２３】
また、中央収納部７２の前後には、後述する同期用ワイヤ部材１４が係合される案内滑車部材７４（第３滑車部材）が収納される離間収納部７５が形成されており、この離間収納部７５は、上方に開口しており、案内滑車部材７４の枢支軸７４ａが垂直方向を向くように配置される（図３参照）。
【００２４】
アーム７に離間収納部７５を形成し、離間収納部７５に案内滑車部材７４を設けることで、アーム７と案内滑車部材７４とを、案内滑車部材７４がセットされたユニットとして天板２と連結させることができるとともに、案内滑車部材７４がアーム７の上面から上方に突出しないようにすることができる。
【００２５】
尚、アーム７には、操作用ワイヤ部材２２が配置される切欠部７２ａと、同期用ワイヤ部材１４が配置される切欠部７５ａと、が形成されており、この切欠部７２ａ，７５ａからアーム７の外部に導出された各ワイヤ部材１４，２２が天板２の下面側に配設される。
【００２６】
次に、左右の脚体３の内部構造について説明する。各脚体３の構成は略同一構成となっているため、図３中の右側の脚体３を例として説明する。図７に示すように、昇降杆６の内部には、ベース脚４に固定された連結部材１１が上方向に延設されている。更に、昇降杆６の内部には、上下方向に伸縮可能なガススプリング１２が設けられている。尚、ガススプリング１２は、その下端部がベース脚４に固着されるとともに、その上端部がアーム７の下面に固着されている。
【００２７】
また、連結部材１１とガススプリング１２の間には、下部滑車部材１３（第１滑車部材）及び同期用ワイヤ部材１４が設けられている。下部滑車部材１３は、水平方向を向く枢軸６１を中心に回動されるとともに、下部滑車部材１３は、昇降杆６とともに昇降可能になっている。
【００２８】
次に、ガススプリング１２について、図７及び図９を参照して説明する。図７に示すように、ガススプリング１２は、ガスを封入させたシリンダ１５と、シリンダ１５内部に配置されてシリンダ１５から出し入れされるピストンロッド１６と、を有している。そして、ピストンロッド１６が出し入れされてガススプリング１２が上下方向に伸縮されることで、ガススプリング１２の上下長が任意の長さで変更可能となっている。
【００２９】
図９に示すように、ピストンロッド１６は、ガススプリング１２の上端部に設けられたプッシュロッド１７（作動部）が押圧されることにより動作し、ガススプリング１２の上下長を任意に変更できるようになっている。また、ピストンロッド１６におけるアーム７よりも下方位置に取り付けられたナット１８がアーム７の下面に固着されている。
【００３０】
尚、ガススプリング１２の上下長の変化とともに、昇降杆６が上下に昇降され、ガススプリング１２の上下長の固定とともに、昇降杆６の高さ位置が固定されるようになっている。尚、プッシュロッド１７が押圧されてピストンロッド１６が伸縮可能な状態を伸縮状態とし、プッシュロッド１７の押圧が解除されてピストンロッド１６がロックされた状態を固定状態とする。
【００３１】
次に、アーム７の中央収納部７２に配置される枢支部材２０について、図６を参照して説明する。図６に示すように、枢支部材２０は上方が開口しており、テーブル１の内方に配置される側板部７６と、テーブル１の外方に配置される側板部７７と、が互いに対向して前後方向に延設されている。側板部７６と側板部７７の下面には底板部７８が設けられ、枢支部材２０は、断面視で略コ字状をなしている（図１０（ａ）参照）。
【００３２】
図６に示すように、側板部７６と側板部７７の間には、２つの上部滑車部材４２が設けられ、これらの上部滑車部材４２は、それぞれ水平方向を向く枢軸６３を中心に回動し、前方側の上部滑車部材４２と後方側の上部滑車部材４２は、それぞれ独立して回動されるようになっている。
【００３３】
また、枢支部材２０の前部２０ａと後部２０ｂには、それぞれアーム７に取り付けるための取付孔７９が形成されている。そして、枢支部材２０の後部２０ｂの下面は、枢支部材２０の前部２０ａの下面よりも低く形成されており、所定寸法Ｄの高低差が形成されている（図９参照）。
【００３４】
更に、枢支部材２０の取付孔７９と、アーム７の中央収納部７２に設けられたリブ７３の取付孔７３ｃと、を合わせて螺着することにより、枢支部材２０とアーム７とが連結される（図９参照）。そして、枢支部材２０の下面をリブ７３の上端に接触させることにより、リブ７３の変形や歪み等を防止することができる。
【００３５】
図６に示すように、枢支部材２０における側板部７６には、その上部が切り欠かれた切欠部７６ａが形成されている。更に、側板部７７の中央部は開口されている。尚、前後の上部滑車部材４２は、前後に離間して設けられており、前後の上部滑車部材４２の間には、本発明における作動部材としての押圧部材１９が配置できるようになっている。
【００３６】
このように、上部滑車部材４２及び押圧部材１９が取り付けられる枢支部材２０を設けたことにより、アーム７に細かな設計を施す必要がなくなるので、設計コストを低減できる。また、枢支部材２０が補強部材となって、中央収納部７２の強度を高めることができる。
【００３７】
次に、ガススプリング１２のプッシュロッド１７を押圧するための押圧部材１９について図９及び図１０を参照して説明する。アーム７の内部には、ガススプリング１２のプッシュロッド１７を押圧するための押圧部材１９が設けられている。この押圧部材１９は、側面視で略Ｌ字状をなし、押圧部材１９の上端部には、操作用ワイヤ部材２２が係合されるワイヤ係合部２３が形成されており、枢支部材２０の側板部７６と側板部７７との間に配置されている。
【００３８】
また、押圧部材１９の下部で水平方向を向く枢支軸２１が設けられ、押圧部材１９は、この枢支軸２１を軸として揺動されるようになっている。更に、押圧部材１９の下端部には、ガススプリング１２のプッシュロッド１７を押圧する押圧部２４が形成されている。
【００３９】
尚、押圧部材１９の下端部は、側板部７７の中央部から外側に延出し、枢支軸２１は側板部７７の外側で枢支されている。枢支部材２０における後部２０ｂが低く形成されているため、枢支軸２１を後方側の上部滑車部材４２の下方に設けることができるようになっており、押圧部材１９の後端部に形成された押圧部２４がガススプリング１２の上方に位置し、押圧部材１９の揺動によってプッシュロッド１７を押圧できるようになっている。
【００４０】
尚、前述したとおり、ガススプリング１２のプッシュロッド１７は、アーム７の中央収納部７２に形成されたロッド挿通孔７３ａの下方から挿通され、中央収納部７２内に延出されている（図９参照）。そして、枢支軸２１の後端側に形成された押圧部２４は、プッシュロッド１７の上方に位置している。
【００４１】
このように、上部滑車部材４２は、枢支部材２０における側板部７６と側板部７７の間、即ち枢支部材２０における底板部７８の上方に設けられるとともに、押圧部材１９における押圧部２４は、底板部７８の下方に配置されている。そのため、上部滑車部材４２と押圧部材１９における押圧部２４とが枢支部材２０の底板部７８を挟んで離間され、互いに干渉し合わないようになる。
【００４２】
図１０（ａ）に示すように、操作用ワイヤ部材２２は、操作用ワイヤ２５と樹脂製のチューブ部材２６とを有し、操作用ワイヤ２５は、チューブ部材２６に挿通され、チューブ部材２６内で延設方向に摺動可能になっている。そして、操作用ワイヤ部材２２は、チューブ部材２６の端部に形成された固定部２７によってアーム７に固定されている。尚、押圧部材１９は、左右のアーム７内にそれぞれ設けられており、操作用ワイヤ部材２２は、各押圧部材１９を互いに連結している（図３参照）。
【００４３】
また、天板２の下面には、左右のアーム７の近傍、かつ前方側の連結杆８が当接する箇所に２つの凹部２ａが形成されている（図３参照）。これらの凹部２ａによって天板２と連結杆８の間には隙間ができるため、操作部９に向かって延設される操作用ワイヤ部材２２が天板２と連結杆８の間の隙間を通れるようになっている。
【００４４】
また、天板２の下面における操作部９の後方側には、操作用ワイヤ部材２２が案内される案内部材８０が螺着されている。案内部材８０には、上方が開口して前後方向に延びる左右２つの案内溝８０ａが形成されており、右側の案内溝８０ａには、右側のアーム７から延びる操作用ワイヤ部材２２が通されるとともに、左側の案内溝８０ａには、左側のアーム７から延びる操作用ワイヤ部材２２が通されている。
【００４５】
このように、アーム７から延びる操作用ワイヤ部材２２は、天板２の下面に形成された凹部２ａと、天板２の下面に取り付けられた案内部材８０の案内溝８０ａと、を通されることにより、操作用ワイヤ部材２２を天板２の前端部に延伸させ、天板２の中央部から離間した状態で左右方向に通すことができる。そのため、天板２の中央部に配線ダクト７０を設けることができるようになっている。
【００４６】
また、図１０（ａ）に示すように、操作用ワイヤ２５は、チューブ部材２６の長さよりも長く設けられており、操作用ワイヤ部材２２の端部は操作用ワイヤ２５が露呈している。操作用ワイヤ２５の先端は係合金具２８で留められており、この係合金具２８が押圧部材１９のワイヤ係合部２３に係合している。
【００４７】
そして、図１０（ｂ）に示すように、操作用ワイヤ２５が内方向に引っ張られると、押圧部材１９が揺動して押圧部２４が下降する。そして、ガススプリング１２のプッシュロッド１７が押圧され、ピストンロッド１６が伸縮可能な伸縮状態となる。
【００４８】
枢支部材２０の側板部７６には、切欠部７６ａが形成されているため、押圧部材１９が揺動した場合にワイヤ係合部２３が内方に移動して切欠部７６ａに入り込み、押圧部材１９が枢支部材２０とぶつからないようになっている。
【００４９】
尚、ガススプリング１２が伸縮状態になると、ガススプリング１２内部のガスの付勢力によってピストンロッド１６が上昇し、アーム７及び天板２が押し上げられるようになっており、重量のある天板２であっても操作者が天板２を容易に上昇できるようになっている。
【００５０】
操作用ワイヤ２５の引っ張り状態が解除されると、押圧部２４がプッシュロッド１７に押し上げられて押圧部材１９が揺動して復帰される。そして、ピストンロッド１６がロックされた固定状態となる。このようにして伸縮状態と固定状態を切り替えられるようになっている。尚、押圧部材１９が復帰し易いように、枢支部材２０の枢支軸２１の部位にバネ等の付勢手段を設けてもよい。
【００５１】
次に、天板２の前方側に設けられた操作部９について図１１を参照して説明する。図１１（ａ）に示すように、操作部９には、天板２に固定される固定部材２９と、水平方向に移動可能な移動部材３０と、が設けられている。また、移動部材３０の前方側に操作者が移動部材３０を移動させるための操作レバー１０が設けられている。
【００５２】
固定部材２９は平面視で矩形状をなし、その四隅が天板２に螺着されている。固定部材２９の後端部には、操作用ワイヤ部材２２が保持される保持部３１が左右に２つ形成されている。また、固定部材２９の上方に組み合わされる移動部材３０は、前部（紙面右側）の左右幅が後部（紙面左側）よりも小さく形成されている。
【００５３】
更に、移動部材３０の前部及び後部には、前後に延びる長孔３２が２つずつ形成されている。長孔３２の上方から挿通されたボルト３３が固定部材２９に固定されており、移動部材３０が図１１（ａ）に示す通常位置にある場合には、ボルト３３は長孔３２の前端部に位置している。
【００５４】
また、移動部材３０の後部には、略半円状をなすプーリ配置部３４が形成されている。このプーリ配置部３４には、操作用ワイヤ部材２２の略中央部が係合するプーリ３５が取り付けられている。このプーリ３５は、移動部材３０に取り付けられたプーリ枢支部材２０とプーリ配置部３４との間で垂直方向を向く枢軸６２を中心に回動可能になっている。
【００５５】
固定部材２９の保持部３１には、操作用ワイヤ部材２２のチューブ部材２６の端部に設けられた固定部４０が保持されており、固定部４０から露呈された操作用ワイヤ２５がプーリ３５に係合している。プーリ３５の前方側の円周面に操作用ワイヤ部材２２の略中央部の操作用ワイヤ２５が摺動されるようになっている。
【００５６】
また、操作用ワイヤ部材２２におけるプーリ３５に係合された部位の近傍が、保持部３１により保持されることで、操作用ワイヤ２５がプーリ３５に掛け渡された状態が維持され、操作用ワイヤ２５がプーリ３５から離脱してしまうことを防止している。
【００５７】
図１１（ｂ）に示すように、操作レバー１０が前方向に引かれて移動部材３０が前方位置に移動されると、操作用ワイヤ２５はチューブ部材２６内で摺動されて、プーリ３５に係合された操作用ワイヤ２５が前方向に牽引されるようになっている。
【００５８】
また、図３に示すように、左右のアーム７内に設けられた押圧部材１９は、操作用ワイヤ部材２２によって連結されており、操作者が操作部９における操作レバー１０を前方向に引くと、操作用ワイヤ２５の左右端部が内方向に移動される。そして、左右の脚体３内部の押圧部材１９が同時に動作し、ガススプリング１２の伸縮状態と固定状態とが同時に切り換えられるようになっている（図１０参照）。
【００５９】
次に、左右の脚体３で同期して行われる昇降杆６の昇降動作について、図７から図９及び図１２を参照して説明する。図７及び図８に示すように、昇降杆６の内部におけるガススプリング１２と連結杆８との間に設けられた滑車部材１３は、水平方向を向く枢軸６１を中心に回動され、同期用ワイヤ部材１４によって上下に移動可能になっている。
【００６０】
アーム７の内部に取り付けられた枢支部材２０には、前後に２つの上部滑車部材４２が枢支されているとともに、前後の上部滑車部材４２，４２の間に押圧部材１９が配置されており、押圧部材１９が揺動されても、押圧部材１９が上部滑車部材４２にぶつからないようになっている（図９参照）。
【００６１】
図７及び図８に示すように、下部側の下部滑車部材１３に架けられた同期用ワイヤ部材１４は、アーム７の中央収納部７２におけるリブ７３に形成されたワイヤ挿通孔７３ｂに挿通されて上部側の上部滑車部材４２，４２に架け渡され、天板２の下方側を通り、他方の脚体３の下方側にも同様に架け渡されている。
【００６２】
図９に示すように、同期用ワイヤ部材１４における連結部材１１の近傍の部位に連結金具４５が設けられており、同期用ワイヤ部材１４は、この連結金具４５を介して連結部材１１の上端部に連結されている。
【００６３】
また、図７に示すように、連結部材１１には、略中間部にストッパー４６が設けられている。昇降杆６の下面には、ストッパー当接部材４７が設けられており、このストッパー当接部材４７がストッパー４６に当接される位置で、昇降杆６の上昇が停止されるようになっている。
【００６４】
更に、同期用ワイヤ部材１４は、上部前方側の上部滑車部材４２から下部側の下部滑車部材１３を介して上部後方側の上部滑車部材４２に向かってＵ字状に架け渡されている。右側のアーム７に取り付けられた枢支部材２０に枢支された上部前方側の上部滑車部材４２から延出する同期用ワイヤ部材１４は、枢支部材２０の前方側に設けられた離間収納部７５に収納された案内滑車部材７４に架け渡されている。
【００６５】
そして、同期用ワイヤ部材１４は、左側のアーム７に向かって延び、左側のアーム７における前方側の離間収納部７５に収納された案内滑車部材７４、左側のアーム７に取り付けられた枢支部材２０に枢支された上部前方側の上部滑車部材４２、の順に架け渡されている。右側のアーム７内の上部後方側の上部滑車部材４２から延出する同期用ワイヤ部材１４は前後逆の状態で同様に架け渡され、同期用ワイヤ部材１４は一体に形成されている。
【００６６】
このように、下部滑車部材１３と上部滑車部材４２と案内滑車部材７４によって、天板２の下面側で２本の同期用ワイヤ部材１４が天板２の中央部から前後に離間した状態で左右方向に通されるため、天板２の中央部に配線ダクト７０を設けることができるようになっている（図３参照）。
【００６７】
天板２が昇降される際の動きについて、図１２の概念図を参照して説明する。前述したように、上部側の上部滑車部材４２はアーム７に取り付けられた枢支部材２０に枢支されており、下部側の下部滑車部材１３は昇降杆６に枢支されており、アーム７と昇降杆６は連結されているため、下部滑車部材１３と上部滑車部材４２とは、いずれも昇降杆６とともに昇降されるようになっている。
【００６８】
図１２に示すように、上部側の上部滑車部材４２のうち、一方の上部滑車部材４２に架け渡されている同期用ワイヤ部材１４を同期用ワイヤ部材１４ａとし、他方の上部滑車部材４２に架け渡されている同期用ワイヤ部材１４を同期用ワイヤ部材１４ｂとして説明する。
【００６９】
例えば、紙面右側の昇降杆６が上昇した場合には、右側の上部滑車部材４２が上昇するが、同期用ワイヤ部材１４ａを連結金具４５を介して連結金具１１に固定されているため、右側の上部滑車部材４２が引き上げられることにより、同期用ワイヤ部材１４ａによって、左側の下部滑車部材１３が連動して右側の上部滑車部材４２の移動距離と同じ距離だけ上昇する。
【００７０】
同様に、紙面左側の昇降杆６が上昇した場合には、左側の上部滑車部材４２が上昇するが、同期用ワイヤ部材１４ｂは連結金具４５を介して連結金具１１に固定されているため、左側の上部滑車部材４２が引き上げられることにより、同期用ワイヤ部材１４ｂによって、右側の下部滑車部材１３が連動して左側の上部滑車部材４２の移動距離と同じ距離だけ上昇する。
【００７１】
このように、同期用ワイヤ部材１４ａによる作用と同期用ワイヤ部材１４ｂによる作用が同時に働いて相互に及ぼしあうため、左右の昇降杆６，６のいずれか一方のみが先行して上昇することがない。即ち、左右の昇降杆６，６が確実に同期して上昇するようになっている。
【００７２】
更に、左右の昇降杆６，６が降下する場合においても、左側の昇降杆６と右側の昇降杆６が同時に同じ移動距離だけ連動して降下するように作用する。このようにして、左右の昇降杆６，６の伸縮を同期させるため、左右の昇降杆６，６及び天板２を一体的に昇降させることができる。
【００７３】
即ち、両方の脚体３の伸縮動作が同期されるため、天板２の高さ位置を変更する際に、天板２の左右で高さがずれることなく、天板２の水平状態が維持されて昇降されるようになる。
【００７４】
尚、図７及び図８に示すように、昇降杆６の外面には、複数のガイドローラー５２が取り付けられており、このガイドローラー５２が支持杆５に摺接されている。昇降杆６が上下昇降される際に、これらのガイドローラー５２が支持杆５に摺接して回動することで、昇降杆の上下昇降動作がスムーズに行われるようになっている。
【００７５】
次に、操作者が操作部９を操作して天板２を昇降させる動作全体について説明する。操作者が操作部９の操作レバー１０を前方に引いて移動部材３０が前方位置に移動されると、プーリ３５に係合する操作用ワイヤ２５の略中央部が前方に移動され（図１１（ｂ）参照）、操作用ワイヤ部材２２の両端が均等に移動される。
【００７６】
操作用ワイヤ部材２２の端部の操作用ワイヤ２５が係合する左右の押圧部材１９，１９が揺動され、押圧部２４が下降してガススプリング１２のプッシュロッド１７が同時に押圧される（図１０（ｂ）参照）。そして、左右のガススプリング１２，１２が同時に伸縮状態となり、天板２が昇降可能になる。
【００７７】
このように、左右のガススプリング１２，１２が同時に伸縮状態に切り換えられるため、いずれか一方のガススプリング１２の切り換えが先に生じて、ガススプリング１２，１２の付勢力の不均衡により天板２が傾いてしまうことを防止できるようになっている。
【００７８】
操作者が天板２を上昇させる際には、ガススプリング１２が伸縮状態のまま、即ち操作レバー１０を引いたまま、天板２を上方に押し上げることで天板２が上昇される。このとき、ガススプリング１２の内部のガスによってピストンロッド１６には、上方に向かう力が働くため、重量を有する天板２であっても容易に昇降できる。
【００７９】
また、下部滑車部材１３と、上部滑車部材４２、案内滑車部材７４及び同期用ワイヤ部材１４によって、天板２の高さ位置が左右でずれないようになっている。更に、操作部９が天板２の略中央部に設けられているため、操作者が天板２に加える力が左右脚体３，３に対して均等に加わるようになっている。
【００８０】
天板２が任意の位置に移動され、操作者が操作レバー１０から手を離して移動部材３０が通常位置に戻されると、プーリ３５に係合する操作用ワイヤ２５の略中央部が後方に移動され、操作用ワイヤ部材２２の端部が均等に外方向に移動される。
【００８１】
更に、操作用ワイヤ部材２２の端部の操作用ワイヤ２５が係合する左右の押圧部材１９，１９が揺動し、押圧部２４が上昇してガススプリング１２のプッシュロッド１７の押圧が同時に解除される。そして、左右のガススプリング１２，１２が同時に固定状態となり、天板２の位置が固定される。
【００８２】
操作者が天板２を降下させる際には、ガススプリング１２が伸縮状態のまま、即ち操作レバー１０を引いたまま、天板２を下方に押し下げることで天板２が降下される。天板２が任意の位置に移動され、操作者が操作レバー１０から手を離して移動部材３０が通常位置に戻されると、プーリ３５に係合する操作用ワイヤ２５が後方に移動され、操作用ワイヤ部材２２の端部が同時に外方向に移動される。
【００８３】
左右の押圧部材１９，１９が同時に揺動して押圧部２４が上昇し、ガススプリング１２のプッシュロッド１７の押圧が同時に解除される。そして、左右のガススプリング１２，１２が同時に固定状態となり、天板２の位置が固定される。
【００８４】
次に、アーム７及び枢支部材２０の変形例として、図１３を参照して説明する。図１３は、図９においてＣ−Ｃ断面に対応する縦断正面図である。図１３に示すように、アーム７’の中央収納部７２における左右の側壁部７１には、Ｌ字状をなす突起部８１，８１が形成されている。また、上部滑車部材４２が配置される枢支部材２０’は、断面視でコ字状をなし、左右の上端は外側に折り返されて溝部８２が形成されている。
【００８５】
枢支部材２０’をアーム７’に取り付ける際には、枢支部材２０’の下面がアーム７’の下面に当接して螺着されるとともに、枢支部材２０’における左右の溝部８２，８２とアーム７’の突起部８１，８１とが係合する。そのため中央収納部７２を補強することができ、左右の側壁部７１同士が互いに離間される方向、すなわち中央収納部７２が左右方向に広がる方向に中央収納部７２が変形したり歪んだりすることを防止でき、枢支部材２０’が補強部材となってアーム７全体の変形や歪み等を防止できる。
【００８６】
以上、本実施例におけるテーブル１では、天板２の左右側部を支持する左右一対の脚体３は、床面に設置される支持杆５と、この支持杆５に支持されて昇降可能となっている昇降杆６と、により上下方向に伸縮自在に構成され、両脚体３を伸縮させることにより天板２を昇降させて高さ位置を変更でき、かつ可撓性を有する前後一対の同期用ワイヤ部材１４の一端が一方の支持杆５に固定されるとともに、同期用ワイヤ部材１４の他端が他方の支持杆５に固定されており、同期用ワイヤ部材１４が、昇降杆６の下方位置に配置されて水平軸周りに回動する下部滑車部材１３と、昇降杆６の上方位置に配置されて水平軸周りに回動する前後一対の上部滑車部材４２と、に掛け渡されており、同期用ワイヤ部材１４により両脚体３の伸縮動作を同期させるテーブル１において、上部滑車部材４２から前後方向に離間した位置に配置される前後一対の案内滑車部材７４が設けられ、各案内滑車部材７４に、各同期用ワイヤ部材１４が前後に分かれて掛け渡されることで、前後一対の案内滑車部材７４に掛け渡された各同期用ワイヤ部材１４が、前後に離間されて配置され、天板２の中央に配線ダクト７０を取り付けるスペースを確保することができ、かつ天板２を昇降させる際に、同期用ワイヤ部材１４に加わる荷重が、下部滑車部材１３、上部滑車部材４２、及び案内滑車部材７４の３箇所に分散されて加わり、各滑車部材１３，４２，７４に加わる荷重を低減させるとともに、同期用ワイヤ部材１４も消耗し難くなり、各滑車部材１３，４２，７４及び同期用ワイヤ部材１４の耐久性を向上させることができる。
【００８７】
また、昇降杆６の上部位置には、前後方向に延びて天板２を支持するアーム７が設けられ、このアーム７の前後方向の略中央部に、前記一対の上部滑車部材４２が収納される中央収納部７２が上方に開口されて設けられ、この中央収納部７２から前後方向にそれぞれ離間した位置に、案内滑車部材７４が収納される離間収納部７５が上方に開口されて設けられており、案内滑車部材７４は、離間収納部７５に設けられる略垂直方向を向く軸周りに回動されることで、上部滑車部材４２及び案内滑車部材７２をアーム７の各収納部７２，７５に上方から収納して取り付け易くなるばかりか、上部滑車部材４２及び案内滑車部材７２をアーム７内に収納した状態で、天板２の下面をアーム７の上面に取り付けることができ、テーブル１の組立作業を効率よく行うことができ、かつ天板２を昇降させる際に、上部滑車部材４２の動作と案内滑車部材７２の動作とが互いに影響を与えずに済むばかりか、略垂直方向を向く軸周りに案内滑車部材７４が回動されることにより、上部滑車部材４２から案内滑車部材７４に向かって前後方向の延びる同期用ワイヤ部材１４の動作を、他方の脚体３に向かって左右方向に速やかに切り換えることができ、各滑車部材４２，７４の動作がスムーズに行われるようになる。
【００８８】
また、左右一対の昇降杆６は、前後一対の連結杆８により連結されており、連結杆８同士の対向面に近接して同期用ワイヤ部材１４が配置されることで、テーブル１を前方側または後方側から見たときに、同期用ワイヤ部材１４が連結杆８に隠蔽されるとともに、天板２の下方において配線ダクト７０まで延設される配線等の部材が同期用ワイヤ部材１４と干渉しなくなり、かつ天板２の下方において配線作業等を行うときも、同期用ワイヤ部材１４が作業者に触れないように連結杆８によって保護される。
【００８９】
また、脚体３は、上下方向に伸縮されることで昇降杆６の昇降の補助及び高さ位置の固定を行うガススプリング１２を有し、このガススプリング１２のプッシュロッド１７（を作動させる押圧部材１９及びこの押圧部材１９を操作する操作用ワイヤ部材２２が、前後一対の上部滑車部材４２の間に配置されることで、押圧部材１９及操作用ワイヤ部材２２の動作が、前後の上部滑車部材４２及びこの上部滑車部材４２から前後に離間された同期用ワイヤ部材１４の動作に影響を与えずに済むようになるばかりか、各部材をアーム７にコンパクトに配置することができる。
【００９０】
以上、本発明の実施例を図面により説明してきたが、具体的な構成はこれら実施例に限られるものではなく、本発明の要旨を逸脱しない範囲における変更や追加があっても本発明に含まれる。
【００９１】
例えば、前記実施例では、操作部９をテーブル１の前方側に設けているが、後方側にも同様に設けてもよい。これにより、操作者は、テーブル１の前後どちら側からでも天板２の昇降動作ができるようになる。
【００９２】
また、前記実施例では、案内滑車部材７４が垂直方向を向く枢支軸７４ａに枢支されているが、案内滑車部材７４の枢支軸７４ａは垂直方向を向く必要はなく、例えば、案内滑車部材７４を上部滑車部材４２よりも低い位置に設け、同期用ワイヤ部材１４を上部滑車部材４２から案内滑車部材７４に向かって斜めに傾けた状態で延設し、枢支軸７４ａを天板２の下面等の水平面に対して傾斜された状態、若しくは、枢支軸７４ａを天板２の下面等の水平面に対して略平行に配置した状態にして、この枢支軸７４ａに案内滑車部材７４が枢支されるようにしてもよい。このように案内滑車部材７４を上部滑車部材４２よりも低い位置に設けると、案内滑車部材７４と同期用ワイヤ部材１４との接触面積が増えるようになる。更に、枢支軸７４ａを天板２の下面等の水平面に対して略平行に配置した状態では、平面視において、枢支軸７４ａを同期用ワイヤ部材１４が張設される方向に傾斜、即ち枢支軸７４ａが天板２の対角線を向く方向に配置した状態としてもよい。
【符号の説明】
【００９３】
１                テーブル（天板付き家具）
２                天板
３                脚体
４                ベース脚（固定脚柱）
５                支持杆（固定脚柱）
６                昇降杆（可動脚柱）
７                アーム（可動脚柱）
８                連結杆
１２              ガススプリング
１３              下部滑車部材（第１滑車部材）
１４              同期用ワイヤ部材（同期用線部材）
１７              プッシュロッド（作動部）
１９              押圧部材（作動部材）
２０              枢支部材
４２              上部滑車部材（第２滑車部材）
７０              配線ダクト（オプション部材）
７１              側壁部
７２              中央収納部（嵌合凹部）
７３ｂ            ワイヤ挿通孔
７４              案内滑車部材（第３滑車部材）
７５              離間収納部
７６              側板部
７７              側板部
７８              底板部
【図１】
0005470134.tif 000002
【図２】
0005470134.tif 000003
【図３】
0005470134.tif 000004
【図４】
0005470134.tif 000005
【図５】
0005470134.tif 000006
【図６】
0005470134.tif 000007
【図７】
0005470134.tif 000008
【図８】
0005470134.tif 000009
【図９】
0005470134.tif 000010
【図１０】
0005470134.tif 000011
【図１１】
0005470134.tif 000012
【図１２】
0005470134.tif 000013
【図１３】
0005470134.tif 000014